(57)【特許請求の範囲】
【請求項１】
用便用の開口部を有する便器の前記開口部上に載置され使用される環状の暖房便座であって、
断面形状が下を向く略Ｕ字状であり、座面となる上面を構成する便座ボディと、
前記便器の前記開口部と前記便座ボディとの間に配置されており、断面形状が略Ｕ字状であり、前記座面に対向する下面を構成し、前記便座ボディと結合されることにより内部に空洞を有する外郭を形成する便座裏板と、
前記外郭の内部に形成される前記空洞内に配設される加熱手段と、
を有しており、
前記便座ボディの前記座面の内周及び外周には、下方に延びて便座側面の一部を形成する便座ボディ立壁が設けられており、
前記便座裏板の前記下面の内周及び外周とには、上方に延びて便座側面の一部を形成する便座裏板立壁が設けられており、
前記便座ボディ立壁の下端部と前記便座裏板立壁の上端部とが互いに対向するように設けられており、かつ、前記便座ボディ立壁の前記下端部と前記便座裏板立壁の前記上端部とが結合されており、
前記便座ボディ立壁の前記下端部と前記便座裏板立壁の前記上端部とが結合する合わせ目が便座側面に設けられており、かつ、
前記便座側面に接する前記便座ボディ立壁の前記下端部の合わせ面及び前記便座裏板立壁の前記上端部の合わせ面のうちの少なくとも一面が傾斜面とされており、
前記便座ボディ立壁の前記下端部及び前記便座裏板立壁の前記上端部のうちの、一方には溝が凹設されており、他方にはリブが凸設されており、
前記便座ボディと前記便座裏板とを結合する際に、前記便座側面に接する前記便座ボディ立壁の前記下端部の合わせ面及び前記便座裏板立壁の前記上端部の合わせ面が前記溝と前記リブよりも先に当接するように構成されており、
前記溝と前記リブとが隙間を設けて嵌合されている、
暖房便座。
【請求項２】
前記便座ボディ立壁の前記下端部の合わせ面及び前記便座裏板立壁の前記上端部の合わ
せ面のうち、一方の合わせ面が傾斜面とされており、他方の合わせ面が略水平面とされており、当該略水平面の最外周の略水平面に溝が凹設されていることを特徴とする請求項１記載の暖房便座。
【請求項３】
用便用の開口部を有する便器の前記開口部上に載置され使用される環状の暖房便座であって、
断面形状が下を向く略Ｕ字状であり、座面となる上面を構成する便座ボディと、
前記便器の前記開口部と前記便座ボディとの間に配置されており、断面形状が略Ｕ字状であり、前記座面に対向する下面を構成し、前記便座ボディと結合されることにより内部に空洞を有する外郭を形成する便座裏板と、
前記外郭の内部に形成される前記空洞内に配設される加熱手段と、
を有しており、
前記便座ボディの前記座面の内周及び外周には、下方に延びて便座側面の一部を形成する便座ボディ立壁が設けられており、
前記便座裏板の前記下面の内周及び外周とには、上方に延びて便座側面の一部を形成する便座裏板立壁が設けられており、
前記便座ボディ立壁の下端部と前記便座裏板立壁の上端部とが互いに対向するように設けられており、かつ、前記便座ボディ立壁の前記下端部と前記便座裏板立壁の前記上端部とが結合されており、
前記便座ボディ立壁の前記下端部と前記便座裏板立壁の前記上端部とが結合する合わせ目が便座側面に設けられており、かつ、
前記便座側面に接する前記便座ボディ立壁の前記下端部の合わせ面及び前記便座裏板立壁の前記上端部の合わせ面のうち、一方の合わせ面が傾斜面とされており、他方の合わせ面が略水平面とされており、
前記便座ボディ立壁の前記下端部及び前記便座裏板立壁の前記上端部のうちの、一方には溝が凹設されており、他方にはリブが凸設されており、
前記溝と前記リブとが隙間を設けて嵌合されるように構成されており、
前記便座ボディ立壁の前記下端部の合わせ面及び前記便座裏板立壁の前記上端部の合わせ面のうちの略水平面とされている合わせ面の最外周の略水平面に溝が凹設されている、暖房便座。
【請求項４】
用便用の開口部を有する便器の前記開口部上に載置され使用される温水洗浄便座であって、
前記便座の開口部上に載置される環状の暖房便座と、
前記便座の開口部上であって前記暖房便座の後方に載置される温水洗浄便座本体と、
便蓋と、
を有しており、
前記暖房便座が請求項１〜３のうちの何れか１項に記載の暖房便座である、
温水暖房便座。
【発明の詳細な説明】
【０００１】
【発明の属する技術分野】
本発明は、便座内部に発熱体が設けられた暖房便座の構成に関するものである。
【０００２】
【従来の技術】
従来の暖房便座の構成としては、例えば特公平２−４４９６６号公報に開示されたものが知られている。図５から図７にその暖房便座の構造例を示す。図９において、暖房便座２１は、温水洗浄便座本体２２および便蓋２３とともに温水洗浄便座２４を構成しており、この温水洗浄便座２４を便器２５に載置して使用されている。
【０００３】
暖房便座２１の外郭２６は、図６、図１０に示すように、便座２７を形成するとともに内部に空洞２８を形成する便座ボディ２９と、下面となる便座裏板３０とで構成され、便座ボディ２９内面にヒータ３１が貼り付けられている。
【０００４】
便座ボディ２９はその断面形状が略Ｕ字状に、便座裏板３０は平板状に形成され、便座ボディ２９の両側端３２間に便座裏板３０を挟み込む状態で両者が結合されている。
【０００５】
【発明が解決しようとする課題】
しかしながら、上記構成の暖房便座２１においては、便座ボディ２９と便座裏板３０との合わせ目３３が暖房便座２１の下面に位置するため、便器２５からの跳ね返りにより、合わせ目３３に汚物が付着し易く、衛生上の問題があった。
【０００６】
本発明は、上記従来の問題点に鑑み、便座ボディと便座裏板の合わせ目に汚物が付着し難く、かつ合わせ目の隙間が目立たず、美観を維持した暖房便座を提供することを目的とする。
【０００７】
【課題を解決するための手段】
本発明（請求項１）は、上記課題を解決するために、
用便用の開口部を有する便器の開口部上に載置され使用される環状の暖房便座であって、
断面形状が下を向く略Ｕ字状であり、座面となる上面を構成する便座ボディと、
便器の開口部と便座ボディとの間に配置されており、断面形状が略Ｕ字状であり、座面に対向する下面を構成し、便座ボディと結合されることにより内部に空洞を有する外郭を形成する便座裏板と、
外郭の内部に形成される空洞内に配設される加熱手段と、
を有しており、
便座ボディの座面の内周及び外周には、下方に延びて便座側面の一部を形成する便座ボディ立壁が設けられており、
便座裏板の下面の内周及び外周とには、上方に延びて便座側面の一部を形成する便座裏板立壁が設けられており、
便座ボディ立壁の下端部と便座裏板立壁の上端部とが互いに対向するように設けられており、かつ、便座ボディ立壁の下端部と便座裏板立壁の上端部とが結合されており、
便座ボディ立壁の下端部と便座裏板立壁の上端部とが結合する合わせ目が便座側面に設けられており、かつ、
便座側面に接する便座ボディ立壁の下端部の合わせ面及び便座裏板立壁の上端部の合わせ面のうちの少なくとも一面が傾斜面とされており、
便座ボディ立壁の下端部及び便座裏板立壁の上端部のうちの、一方には溝が凹設されており、他方にはリブが凸設されており、
便座ボディと便座裏板とを結合する際に、便座側面に接する便座ボディ立壁の下端部の合わせ面及び便座裏板立壁の上端部の合わせ面が溝とリブよりも先に当接するように構成されており、
溝とリブとが隙間を設けて嵌合されている、
暖房便座を提供するものである。
これにより、便座ボディ立壁の下端部と便座裏板立壁の上端部とが結合する合わせ目が便座側面に位置しているので便器からの跳ね上がりが合わせ目に付着するのを防止でき、合わせ目の汚濁を軽減できる。また、便座側面に接する便座ボディ立壁の下端部の合わせ面及び便座裏板立壁の上端部の合わせ面のうちの少なくとも一面を傾斜面としているので合わせ目は面対線接触になり、便座側面側に隙間が生じることなく接合されているため、合わせ目の隙間が目立たず美観も維持される。さらに、便座側面に接する便座ボディ立壁の下端部の合わせ面及び便座裏板立壁の上端部の合わせ面が先に当接するため、便座側面の合わせ目に隙間が開くことがなく、さらに合わせ目の隙間が目立たない。
また、本発明（請求項３）は、
用便用の開口部を有する便器の開口部上に載置され使用される環状の暖房便座であって、
断面形状が下を向く略Ｕ字状であり、座面となる上面を構成する便座ボディと、
便器の開口部と便座ボディとの間に配置されており、断面形状が略Ｕ字状であり、座面に対向する下面を構成し、便座ボディと結合されることにより内部に空洞を有する外郭を形成する便座裏板と、
外郭の内部に形成される空洞内に配設される加熱手段と、
を有しており、
便座ボディの座面の内周及び外周には、下方に延びて便座側面の一部を形成する便座ボディ立壁が設けられており、
便座裏板の下面の内周及び外周とには、上方に延びて便座側面の一部を形成する便座裏板立壁が設けられており、
便座ボディ立壁の下端部と便座裏板立壁の上端部とが互いに対向するように設けられており、かつ、便座ボディ立壁の下端部と便座裏板立壁の上端部とが結合されており、
便座ボディ立壁の下端部と便座裏板立壁の上端部とが結合する合わせ目が便座側面に設けられており、かつ、
便座側面に接する便座ボディ立壁の下端部の合わせ面及び便座裏板立壁の上端部の合わせ面のうち、一方の合わせ面が傾斜面とされており、他方の合わせ面が略水平面とされており、
便座ボディ立壁の下端部及び便座裏板立壁の上端部のうちの、一方には溝が凹設されており、他方にはリブが凸設されており、
溝とリブとが隙間を設けて嵌合されるように構成されており、
便座ボディ立壁の下端部の合わせ面及び便座裏板立壁の上端部の合わせ面のうちの略水平面とされている合わせ面の最外周の略水平面に溝が凹設されている、
暖房便座を提供するものである。
これにより、便座ボディ立壁の下端部と便座裏板立壁の前記上端部とが結合する合わせ目が便座側面に位置しているので便器からの跳ね上がりが合わせ目に付着するのを防止でき、合わせ目の汚濁を軽減できる。また、便座側面に接する便座ボディ立壁の下端部の合わせ面及び便座裏板立壁の上端部の合わせ面のうち、一面を傾斜面としているので合わせ目は面対線接触になり、便座側面側に隙間が生じることなく接合されているため、合わせ目の隙間が目立たず美観も維持される。さらに、便座ボディ立壁の下端部の合わせ面及び便座裏板立壁の上端部の合わせ面のうちの略水平面とされている合わせ面の最外周の略水平面に溝が凹設されているため、便座側面のリブに柔軟性が得られるため、合わせ面が平面でなく多少凹凸があっても隙間が開くことを防止することができる。
【０００８】
また、請求項２に記載の発明は、請求項１の暖房便座において、便座ボディ立壁の下端部の合わせ面及び便座裏板立壁の上端部の合わせ面のうち、一方の合わせ面が傾斜面とされており、他方の合わせ面が略水平面とされており、当該略水平面の最外周の略水平面に溝が凹設されていることを特徴とするものである。
これにより、便座側面のリブに柔軟性が得られるため、合わせ面が平面でなく多少凹凸があっても隙間が開くことを防止してくれる。
【０００９】
さらに、請求項４に記載の発明は、
用便用の開口部を有する便器の前記開口部上に載置され使用される温水洗浄便座であって、
前記便座の開口部上に載置される環状の暖房便座と、
前記便座の開口部上であって前記暖房便座の後方に載置される温水洗浄便座本体と、
便蓋と、
を有しており、
前記暖房便座が請求項１〜３のうちの何れか１項に記載の暖房便座である、
温水暖房便座を提供するものである。
本発明の温水暖房便座は、上述の請求項１〜３に記載の暖房便座を備えているので、便座ボディ立壁の下端部と便座裏板立壁の前記上端部とが結合する合わせ目が便座側面に位置しているので便器からの跳ね上がりが合わせ目に付着するのを防止でき、合わせ目の汚濁を軽減できる。また、便座側面に接する便座ボディ立壁の下端部の合わせ面及び便座裏板立壁の上端部の合わせ面のうち、一面を傾斜面としているので合わせ目は面対線接触になり、便座側面側に隙間が生じることなく接合されているため、合わせ目の隙間が目立たず美観も維持される。さらに、便座側面に接する便座ボディ立壁の下端部の合わせ面及び便座裏板立壁の上端部の合わせ面が先に当接するため、便座側面の合わせ目に隙間が開くことがなく、さらに合わせ目の隙間が目立たない。
また、便座ボディ立壁の下端部の合わせ面及び便座裏板立壁の上端部の合わせ面のうちの略水平面とされている合わせ面の最外周の略水平面に溝が凹設されているため、便座側面のリブに柔軟性が得られるため、合わせ面が平面でなく多少凹凸があっても隙間が開くことを防止することができる。
【００１０】
【発明の実施の形態】
以下、本発明の暖房便座の各実施形態について、図を参照して説明する。
【００１１】
（第一の実施形態）
まず、本発明の第一の実施形態の暖房便座について、図１〜図４を参照して説明する。図１において、１は暖房便座で、温水洗浄便座本体２及び便蓋３とともに温水洗浄便座４を構成しており、この温水洗浄便座４を便器５に載置して使用する。
【００１２】
暖房便座１は、図２、図３に示すように、外形が略卵形の環状で、座面７を形成する便座ボディ９と下面を形成する便座裏板１０とで内部に空洞８を有する外郭６が構成され、空洞８内の便座ボディ９内面に加熱手段としてのヒータ１１を貼り付けられている。
【００１３】
便座ボディ９と便座裏板１０の内周及び外周には、便座ボディ立壁１２と、便座裏板立壁１３が設けられ、両立壁１２、１３の先端部同士を相互に対向させて結合され、両者の合せ目１４は暖房便座１の周側面に位置している。
【００１４】
立壁１２、１３の結合構成の詳細を図３、図４に示す。図３、図４において、便座ボディ９の立壁１２の先端部（下端部）１２ａの幅方向中央部には溝１５が凹設され、便座裏板１０の立壁１３の先端部（上端部）１３ａには溝１５に嵌合するリブ１６が凸設され、リブ１６の上端面１６ａが溝１５の底面１５ａに隙間１７を設けて対向されている。
【００１５】
便座ボディ９の立壁１２の先端部１２ａの幅方向外側部（空洞８側とは反対側）には溝１５の形成面よりも下方に延びるスカート部１２ｂが形成され、その先端部に外側が下方に延びる傾斜部１２ｃが形成されている。便座裏板１０の立壁１３の先端部１３ａの幅方向外側部にはスカート部１２ｂが嵌合する凹陥部１３ｂが形成され、その先端部に傾斜部１２ｃに当接されている水平部１３ｃが形成されている。その凹陥部１３ｂにおいて水平部１３ｃより内よりに溝１８が凹設されている。
【００１６】
以上の構成において、便座ボディ９と便座裏板１０の内周及び外周に便座ボデイ立壁１２と便座裏板立壁１３を設け、両立壁１２、１３の先端部１２ａ、１３ａを相互に対向させて結合し、両者の合せ目１４を暖房便座１の側面に位置させ、かつ傾斜部１２ｃと水平部１３ｃが当接されているので、合わせ目は面対線接触になり、便座側面側に隙間が生じることなく、合わせ部の隙間も目立たず美観を維持できる。
【００１７】
（第二の実施形態）
次に、本発明の第二の実施形態の暖房便座について、同図３、図４を参照して説明する。なお、上記第一の実施形態との相違点についてのみ説明する。
【００１８】
本実施形態では、一方の立壁１２の先端１２ａに溝１５を凹設し、他方の立壁１３の先端１３ａにリブ１６を凸設し、溝１５の底面１５ａとリブ１６の先端面１６ａとが隙間１７を設けて嵌合する構成とするとともに、便座側面に接する合わせ面１２ａと１３ｃを先に当接させている。
【００１９】
以上の構成によると、溝１５の底面１５ａとリブ１６の先端面１６ａとが先当りして便座側面の合わせ目１４に隙間が開くことなく、便座側面に接する合わせ面１２ａと１３ｃとが先当りして接合されるのでさらに合わせ目の隙間が目立たない。
【００２０】
なお、隙間１７を設けることによって、その隙間にシリコンやゴム等のシール剤や接着剤等を塗布することも可能となり、嵌合性が良くなる。
【００２１】
（第三の実施形態）
次に、本発明の第三の実施形態の暖房便座について、同図３、図４を参照して説明する。なお、上記第一、二の実施形態との相違点についてのみ説明する。
【００２２】
本実施形態では、一方の立壁１３の最外周の略水平面１３ｃに溝１８を凹設すると、立壁１３の側面リブ１９に柔軟性が得られるため、合わせ面１２ｃと１４が平面でなく多少凹凸があっても隙間が開くことを防止してくれる。
【００２３】
なお、溝１８とリブ１６の間にシール剤を塗布し過ぎてはみ出す場合、上記溝１８でそのはみ出し分を吸収して便座側面の合わせ目１４からはみ出して美観を損ねることがない。
【００２４】
【発明の効果】
本発明の暖房便座によれば、以上の説明から明らかなように、便座ボディと便座裏板の内周及び外周にそれぞれ先端部が相互に対向する立壁を設け、かつ互いに対向する両立壁の先端を結合するとともにその合わせ目を便座側面に配設し、かつ便座側面に接する合わせ面の少なくとも一面を傾斜面としたので、便器からの跳ね上がりが合わせ目に付着するのを防止して合わせ目の汚濁を軽減でき、かつ便座側面に接する合わせ面の少なくとも一面を傾斜面としているので合わせ目は面対線接触になり、便座側面側に隙間が生じることなく隙間なく接合されるため、合わせ目の隙間が目立たず美観も維持される。
【００２５】
また、一方の立壁の先端に溝を凹設し、他方の立壁の先端にリブを凸設し、溝とリブとが隙間を設けて嵌合する構成とするとともに、便座側面に接する合わせ面を先に当接させると、溝とリブが先当りして便座側面に隙間が開くことなく、嵌合されるのでさらに合わせ目の隙間が目立たない。
【００２６】
また、一方の立壁の先端に溝を凹設し、他方の立壁の先端にリブを凸設し、溝とリブとが嵌合する構成とするとともに、一方の立壁最外周の略水平面に溝を凹設すると、便座側面のリブに柔軟性が得られるため、合わせ面が平面でなく多少凹凸があっても隙間が開くことを防止してくれる。外周囲に立壁を設け、両立壁の先端面相互を対向させて結合し、かつ両者の合せ目を便座側面に形成しているため、便器からの跳ね返りが合わせ目に付着することが防止できる。
【図面の簡単な説明】
【図１】発明の第１の実施形態による使用状態を示す外観斜視図
【図２】同暖房便座の外観斜視図
【図３】同図２におけるＡ−Ａ線断面図
【図４】同要部拡大断面図
【図５】従来の暖房便座の使用状態を示す外観者斜視図
【図６】同暖房便座の外観斜視図
【図７】同図６におけるＢ−Ｂ線断面図
【符号の説明】
１  暖房便座
２  温水洗浄便座本体
３  便蓋
４  温水洗浄便座
５  便器
６  空洞
７  座面
８  ヒータ
９  便座ボディ
１０  便座裏板
１１  外郭
１２ａ  便座ボディ立壁
１２ｂ  便座裏板立壁
１３  合わせ目
１４  溝
１５  リブ
１６ａ  溝側面
１６ｂ  リブ側面
１７  隙間
１８  溝
１９  側面リブ
【図１】
0004379984.tif 000002
【図２】
0004379984.tif 000003
【図３】
0004379984.tif 000004
【図４】
0004379984.tif 000005
【図５】
0004379984.tif 000006
【図６】
0004379984.tif 000007
【図７】
0004379984.tif 000008